(57)【要約】      （修正有）【課題】温度測定装置等を机等の上で表示部が斜め上方を向く傾斜姿勢とでき、更に壁等に設けられたフックに掛けて吊り下げ状態にすることができて、しかもコンパクトな筐体構造を提供する。【解決手段】支持具１７の連結部２７を上にして、一対の差し込み部１９を一対の係止穴１３の背面側の開口から差し込み、接続部２３は筐体３の背面に対し２０度程度の角度をもって傾斜し、連結部２７を筐体３の背面側に位置させる。筐体３を机の上面Ｔに置くと、連結部２７と支持部１１ｃが上面Ｔに当接するので、筐体３が傾斜姿勢となる状態を保持できる。一対の差し込み部１９を一対の係止穴１３の上面側の開口から差し込み、連結部２７を筐体３の上面側に位置させる。フックを切欠き部に入れて、筐体３を吊り下げる状態とする。【選択図】図６
2018179850.tif 000002
【特許請求の範囲】
【請求項１】
筐体と、前記筐体の背面の上端部と上面に連通する左右一対の係止穴と、前記一対の係止穴に係止して取り付ける支持具を具備する筐体支持構造であって、
前記支持具は円弧状に湾曲する左右一対の差し込み部と、前記一対の差し込み部の基端にそれぞれ接続され、途中部分に屈曲部が形成された左右一対の接続部と、前記一対の接続部の先端どうしを繋ぐ連結部を有しており、
前記支持具の一対の差し込み部を前記一対の係止穴の背面側から差し込み、上面側に突出させ、前記連結部を前記筐体の背面側に位置するようにして、前記屈曲部を筐体の背面に当接させ、前記筐体を、その背面側を下にして机等の上面に置いたときに前記連結部によって筐体の上端側を持ち上げて支持することで前記筐体を傾斜姿勢にする状態と、
前記支持具の一対の差し込み部を前記一対の係止穴の上面側から差し込み、背面側に突出させ、前記連結部が前記筐体の上面側にくるようにして、前記連結部を壁等に設けられた被係止部に係止させることで前記筐体を吊り下げる状態にすることを特徴とする筐体支持構造。
【請求項２】
請求項１に記載した筐体支持構造において、一対の係止穴は支持具の差し込み部に対応する円弧状に形成されていることを特徴とする筐体支持構造。
【請求項３】
請求項１または２に記載した筐体支持構造において、支持具の連結部には、筺体を吊り下げる状態で被係止部が嵌る切欠き部が形成されていることを特徴とする筐体支持構造。
【請求項４】
請求項３に記載した筐体支持構造において、複数の切欠き部が設けられ、前記複数の切欠き部は互いに間隔を開け、左右方向に並んで配置されていることを特徴とする筐体支持構造。
【請求項５】
請求項１から４のいずれかに記載した筐体支持構造を備え、正面に液晶画面等の表示部が設けられていることを特徴とする電子機器。
【請求項６】
請求項５に記載した電子機器において、正面に温度表示部が設けられている温度測定装置であることを特徴とする電子機器。
【発明の詳細な説明】
【技術分野】
【０００１】
本発明は、筐体構造に係り、特に実験室等の限られたスペースで用いる温度測定装置等の筐体構造に関するものである。
【背景技術】
【０００２】
生化学、生物・生命工学等の分野における実験は比較的狭い実験室内で行われることが多く、しかも実験室には種々の装置が置かれている。
ところで、当該分野の実験は温度を高精度に管理しなくてはならないものが殆どであり、温度測定装置の筐体を表示部が良く見える場所に置く必要がある。
【０００３】
温度測定装置の筐体はほぼ箱型で、表示部は筐体の正面に設けられているので、筺体の正面が真上を向く姿勢で備えたのでは、筐体の近くまで行かないと、温度を確認することはできない。
そこで、表示部を離れた位置からでも見易くするために、筐体を机等の上面に置いた状態で表示部が斜め上方を向く傾斜姿勢を維持できる、スタンド機能をもつ特許文献１のケースが開発されている。
【先行技術文献】
【特許文献】
【０００４】
【特許文献１】特開２００９−１７８３７３号公報
【発明の概要】
【発明が解決しようとする課題】
【０００５】
しかしながら、上記従来のケースは、ケースそのものが嵩張るので、実験作業の邪魔になるおそれがある。また、壁等に設けられたフックに温度測定装置等の筐体を掛けて吊り下げ状態にする機能は有していない。
本発明は上記従来の問題点に着目して為されたものであり、机等の上で表示部が斜め上方を向くように筐体を傾斜姿勢に維持でき、更に筐体を壁等に設けられたフックに掛けて吊り下げ状態にすることができて、しかもコンパクトな筐体構造の提供を、その目的とする。
【課題を解決するための手段】
【０００６】
本発明は上記課題を解決するためになされたものであり、請求項１の発明は、筐体と、前記筐体の背面の上端部と上面に連通する左右一対の係止穴と、前記一対の係止穴に係止して取り付ける支持具を具備する筐体支持構造であって、前記支持具は円弧状に湾曲する左右一対の差し込み部と、前記一対の差し込み部の基端にそれぞれ接続され、途中部分に屈曲部が形成された左右一対の接続部と、前記一対の接続部の先端どうしを繋ぐ連結部を有しており、前記支持具の一対の差し込み部を前記一対の係止穴の背面側から差し込み、上面側に突出させ、前記連結部を前記筐体の背面側に位置するようにして、前記屈曲部を筐体の背面に当接させ、前記筐体を、その背面側を下にして机等の上面に置いたときに前記連結部によって筐体の上端側を持ち上げて支持することで前記筐体を傾斜姿勢にする状態と、前記支持具の一対の差し込み部を前記一対の係止穴の上面側から差し込み、背面側に突出させ、前記連結部が前記筐体の上面側にくるようにして、前記連結部を壁等に設けられた被係止部に係止させることで前記筐体を吊り下げる状態にすることを特徴とする筐体支持構造である。
【０００７】
請求項２の発明は、請求項１に記載した筐体支持構造において、一対の係止穴は支持具の差し込み部に対応する円弧状に形成されていることを特徴とする筐体支持構造である。
【０００８】
請求項３の発明は、請求項１または２に記載した筐体支持構造において、支持具の連結部には、筺体を吊り下げる状態で被係止部が嵌る切欠き部が形成されていることを特徴とする筐体支持構造である。
【０００９】
請求項４の発明は、請求項３に記載した筐体支持構造において、複数の切欠き部が設けられ、前記複数の切欠き部は互いに間隔を開け、左右方向に並んで配置されていることを特徴とする筐体支持構造である。
【００１０】
請求項５の発明は、請求項１から４のいずれかに記載した筐体支持構造を備え、正面に液晶画面等の表示部が設けられていることを特徴とする電子機器である。
【００１１】
請求項６の発明は、請求項５に記載した電子機器において、正面に温度表示部が設けられている温度測定装置であることを特徴とする電子機器である。
【発明の効果】
【００１２】
本発明の筐体構造によれば、電子機器としての温度測定装置等を机等の上で表示部が斜め上方を向く傾斜姿勢とでき、更に壁等に設けられたフックに掛けて吊り下げ状態にすることができる。しかも、本発明の筐体構造は一対の係止穴と、一対の係止穴に係止する支持具によって構成されているのでコンパクトであり、作業の邪魔になることはない。
【図面の簡単な説明】
【００１３】
【図１】本発明の実施の形態に係る筐体構造を構成する支持具の斜視図である。
【図２】（Ａ）は図１の支持具の正面図、（Ｂ）は同左側面図、（Ｃ）は同右側面図、（Ｄ）は平面図、（Ｅ）は同底面図、（Ｆ）は同背面図である。
【図３】本発明の実施の形態に係る温度測定装置の筐体を傾斜姿勢にするために図１の支持具を筐体に取り付ける方法を説明するための斜視図である。
【図４】図３の温度測定装置の筐体を傾斜姿勢にするために図１の支持具を筐体に取り付ける方法を説明するための斜視図である。
【図５】図３の温度測定装置の筐体を傾斜姿勢とした状態を示す斜視図である。
【図６】図３の温度測定装置の筐体を傾斜姿勢とした状態を示す側面図である。
【図７】本発明の実施の形態に係る温度測定装置の筐体を吊り下げるために図１の支持具を筐体に取り付ける方法を説明するための斜視図である。
【図８】図７の温度測定装置の筐体を吊り下げるために図１の支持具を筐体に取り付ける方法を説明するための斜視図である。
【図９】図７の温度測定装置の筐体を吊り下げた状態を示す斜視図である。
【発明を実施するための形態】
【００１４】
本発明の実施の形態に係る電子機器としての温度測定装置１の筐体構造を図面にしたがって説明する。
温度測定装置１の筐体３は略箱型に形成されており、その正面部には前方へ膨出する凸部３ａが設けられている。この凸部３ａは筐体３の上端側約三分の一の部分に形成されている。筐体３の正面には液晶パネル等によって構成される表示部５が設けられ、この表示部５は凸部３ａより下端側の部分に備えられている。更に、筐体３の正面には操作部７が設けられ、この操作部７は表示部５より下端側の部分に備えられている。また、筐体３の上端面には３つのコネクタ装着口９、１０が設けられている。更に、筐体３の背面の四隅には合成ゴム製の支持部１１ａ、１１ｂ、１１ｃ、１１ｄが設けられている。
【００１５】
符号１３、１５は左右一対の係止穴を示し、筐体３の背面の上端部と上面に連通している。係止穴１３、１５は後述する支持具１７の左右一対の差し込み部１９、２１に対応して円弧状に形成されている。
係止穴１３、１５は筐体３の左右方向の両端部にそれぞれ配置されている。一対の係止穴１３、１５の背面側の開口部１３ａ、１５ａは上側の縁部が直線状で下側の縁部が円弧状に形成された比較的大きいサイズとなっている。また、一対の係止穴１３、１５の上面側の開口部１３ｂ、１５ｂは左右方向へ延びる長円状に形成された比較的小さいサイズとなっている。
【００１６】
符号１７は支持具を示し、この支持具１７は円弧状に湾曲する左右一対の差し込み部１９、２１を有している。一対の差し込み部１９、２１の基端は、接続部２３、２５にそれぞれ接続されている。左右一対の接続部２３、２５の先端には、連結部２７が接続されており、この連結部２７によって左右一対の接続部２３、２５どうしが繋がれている。一対の接続部２３、２５の先端部分は屈曲しており、屈曲部２３ａ、２５ａが形成されている。一対の屈曲部２３ａ、２５ａの内側には略二等辺三角形の補強平板２９、３１が渡設されている。また、一対の接続部２３、２５の基端には棒状の補強部３２が渡設されている。
【００１７】
連結部２７は平板状に形成されており、この連結部２７の内側部には３つの切欠き部３３、３５、３７が設けられている。切欠き部３３、３５、３７は半円形を為しており、互いに間隔を開け、左右方向に並んで配置されている。
【００１８】
次に、温度測定装置１の筐体構造を用いて、筐体３を傾斜姿勢にする状態と、吊り下げる状態にする方法を説明する。
図３に示すように、支持具１７の連結部２７を上にして、一対の差し込み部１９、２１を一対の係止穴１３、１５の背面側の開口１３ａ、１５ａから差し込む。
そして、一対の差し込み部１９、２１を一対の係止穴１３、１５へ挿入して、上面側の開口１３ｂ、１５ｂへ突出させる。前述のように、係止穴１３、１５は支持具１７の差し込み部１９、２１に対応して円弧状に形成されているので、差し込み部１９、２１は係止穴１３、１５内をスムーズに進行する。
【００１９】
差し込み部１９、２１が係止穴１３、１５内を進行するに従って、接続部２３、２５は図３、図４において時計回りの方向へ回動し、接続部２３、２５の屈曲部２３ａ、２５ａよりやや先端側の部分が筐体３の上端側の２つの支持部１１ａ、１１ｂに当接する（図６参照）。この状態では、接続部２３、２５は筐体３の背面に対し２０度程度の角度をもって傾斜し、連結部２７が筐体３の背面側に位置する。
図５、図６に示すように、筐体３を机の上面Ｔに置くと、連結部２７と支持部１１ｃ、１１ｄが上面Ｔに当接して、連結部２７によって筐体３の上端側が持ち上げられて支持される。従って、筐体３が傾斜姿勢となり、その状態が保持される。
【００２０】
図７に示すように、支持具１７の連結部２７を筐体３の背面側に備えて、一対の差し込み部１９、２１を一対の係止穴１３、１５の上面側の開口１３ｂ、１５ｂから差し込む。そして、一対の差し込み部１９、２１を一対の係止穴１３、１５へ挿入して、背面側の開口１３ａ、１５ａへ突出させる。
差し込み部１９、２１が係止穴１３、１５内を進行するに従って、接続部２３、２５は図７、図８において時計回りの方向へ回動し、連結部２７が筐体３の上面側に位置する。
【００２１】
図９に示すように、連結部２７を壁等に設けられた被係止部としてのフックＦに係止して、フックＦを切欠き部３５に入れる。このようにして、筐体３を吊り下げる状態とする。フックＦを切欠き部３５に入れることで、筐体３が横方向へずれてしまうのを防止でき、筐体３を安定して吊り下げることが可能である。
なお、フックＦを切欠き３３または３７に入れることで、筐体３の位置を変更することができる。
このように、筐体構造によれば、温度測定装置１を机等の上で表示部５が斜め上方を向く傾斜姿勢とでき、更に壁等に設けられたフックＦに掛けて吊り下げ状態にすることができる。しかも筐体構造は一対の係止穴１３、１５と、支持具１７によって構成されているのでコンパクトであり、作業の邪魔になることはない。
なお、支持具１７を使用しないことも可能であり、この場合でも筐体３には一対の係止穴１３、１５が形成されているのみで突起等がないので、支持具１７不使用時において不便となることはない。
【００２２】
以上、本発明の実施の形態について詳述してきたが、具体的構成は、この実施の形態に限られるものではなく、本発明の要旨を逸脱しない範囲における設計の変更などがあっても発明に含まれる。
例えば、電子機器としては上記した温度測定装置に限定されず、携帯電話等の他の電子機器に適用することが可能である。
なお、切欠きの数は３つに限らず、１つまたは４つ以上であってもよく、更に切欠きを設けない構成とすることも可能である。
【産業上の利用可能性】
【００２３】
本発明の筐体構造は、温度測定装置等の電子機器の筐体製造業等において利用可能性を有する。
【符号の説明】
【００２４】
１…温度測定装置    ３…筐体                ３ａ…凸部
５…表示部          ７…操作部              ９、１０…コネクタ装着口
１１ａ、１１ｂ、１１ｃ、１１ｄ…支持部      １３、１５…係止穴
１３ａ、１５ａ…係止穴の背面側の開口        １３ｂ、１５ｂ…係止穴の上面側の開口
１７…支持具        １９、２１…差し込み部  ２３、２５…接続部
２７…連結部        ２９、３１…補強平板    ３３、３５、３７…切欠き部
Ｔ…机等の上面      Ｆ…フック
【図１】
2018179850.tif 000003
【図２】
2018179850.tif 000004
【図３】
2018179850.tif 000005
【図４】
2018179850.tif 000006
【図５】
2018179850.tif 000007
【図６】
2018179850.tif 000008
【図７】
2018179850.tif 000009
【図８】
2018179850.tif 000010
【図９】
2018179850.tif 000011